(57)【要約】【課題】温水床暖房パネルのような暖房端末を長く停止させている場合において生じる管路内へのエアーの侵入に伴う管路内のエアー溜まりの増大を抑制する。エアー溜まりに起因する問題を回避する。イニシャルコストを低減する。【解決手段】温水床暖房パネルのような暖房端末１を熱媒供給部２に熱媒の送り管路３及び戻り管路４によって接続した暖房装置である。前記送り管路３に管路を開閉する制御弁５を設けると共に戻り管路４にも管路を開閉する制御弁６を設けている。【選択図】        図１
2004286366.tif 000002
【特許請求の範囲】
【請求項１】
温水床暖房パネルのような暖房端末を熱媒供給部に熱媒の送り管路及び戻り管路によって接続した暖房装置であって、前記送り管路に管路を開閉する制御弁を設けると共に戻り管路にも管路を開閉する制御弁を設けていることを特徴とする暖房装置。
【請求項２】
前記暖房端末、送り管路及び戻り管路の少なくとも一部に酸素透過型の樹脂パイプを使用し、前記暖房端末は前記熱媒供給部よりも上方に配設し、前記熱媒供給部は開放型の熱媒タンクを備えていることを特徴とする請求項１記載の暖房装置。
【請求項３】
前記送り管路及び戻り管路を近接させ、両管路に一体又は別となった弁体を配設し、弁体を制御信号にて開閉させる一の駆動部を備えて前記両制御弁を一体型にしていることを特徴とする請求項１記載の暖房装置。
【請求項４】
前記暖房端末は前記熱媒供給部よりも上方の階上に複数設置されていることを特徴とする請求項１又は２記載の暖房装置。
【発明の詳細な説明】
【０００１】
【発明の属する技術分野】
本発明は、暖房装置に関し、詳しくは、温水床暖房パネルのような暖房端末を長く停止させている場合において生じる管路内へのエアーの侵入に伴う管路内のエアー溜まりの増大を抑制し、エアー溜まりに起因する問題を回避しようとする技術に係るものである。
【０００２】
【従来の技術】
一般に、温水床暖房パネルのような暖房端末を熱媒供給部に熱媒の送り管路及び戻り管路によって接続した暖房装置においては、温水床暖房パネルには、例えば、温水供給用として架橋ポリエチレン管やポリブデン管のような樹脂パイプを使用している。
ところで、架橋ポリエチレン管やポリブデン管は、現在、酸素の透過性のある素材が主流であるため、温水床暖房パネルが使用されない期間が長く続く場合に前記配管内にエアーが侵入することがある。
【０００３】
温水床暖房パネルを２階や３階などの高い所に配設する場合に、温水床暖房パネルより低い箇所の熱媒供給部の熱媒タンクへと温水（熱媒）が流下しようとする水頭圧によって前記配管内が負圧となることから、一層、エアーの侵入が顕著になり、エアー溜まりが増大するものである。
【０００４】
ところで、従来の暖房装置Ａａにおいては、図５に示すように、暖房端末１から熱媒供給部２への戻り管路４には、制御弁が設けられていないものであった（例えば、特許文献１参照）。
【０００５】
このような特許文献１においては、暖房端末１から熱媒供給部２への戻り管路４には、制御弁が設けられていないことから、暖房端末１からの熱媒タンク８への温水の流入を止めることができず、配管内へのエアーの侵入が進み、エアー溜まりが増大することになる。
【０００６】
エアーが配管内に侵入してエアー溜まりが生じこれが増大すると、温水の循環不良やエアー噛み音が生じるおそれがあり、更に、エアーが配管内に侵入することで、戻り管路４内の温水は開放型となった熱媒タンク８内に流入し、熱媒タンク８内の水位が上昇してオーバーフローが生じ、この結果、運転時に温水（熱媒）が不足することになり、このために、熱媒タンク８に設置されているシスターンのような水位維持手段を作動させて水位を回復させる運転が必要となり、熱媒を無駄にし、イニシャルコストが高くなる等という問題がある。
【０００７】
【特許文献１】
特開２００２−２９５８４６号公報
【０００８】
【発明が解決しようとする課題】
本発明はこのような問題に鑑みてなされたものであり、温水床暖房パネルのような暖房端末を長く停止させている場合において生じる管路内へのエアーの侵入に伴う管路内のエアー溜まりの増大を抑制し、エアー溜まりに起因する問題を回避し、イニシャルコストを低減することができる暖房装置を提供することを目的とするものである。
【０００９】
【課題を解決するための手段】
請求項１の発明においては、温水床暖房パネルのような暖房端末を熱媒供給部に熱媒の送り管路及び戻り管路によって接続した暖房装置であって、前記送り管路に管路を開閉する制御弁を設けると共に戻り管路にも管路を開閉する制御弁を設けていることを特徴とするものである。
【００１０】
このような構成によれば、送り管路及び戻り管路に設けた制御弁によって両管路を開閉させて、熱媒供給部から熱媒を暖房端末に供給及び停止を確実におこなうことができながら、暖房端末を長く使用しない場合に、制御弁によって戻り管路を閉にして暖房端末から熱媒供給部への熱媒の戻りを阻止するのであり、戻り管路にエアーが侵入してエアー溜まりが生じても熱媒が熱媒供給部に戻ることに起因してエアー溜まりが増大するのを防止する。
【００１１】
請求項２の発明においては、前記暖房端末、送り管路及び戻り管路の少なくとも一部に酸素透過型の樹脂パイプを使用し、前記暖房端末は前記熱媒供給部よりも上方に配設し、前記熱媒供給部は開放型の熱媒タンクを備えていることを特徴とするものである。
【００１２】
このような構成によれば、暖房端末としての、例えば、温水床暖房パネルの管路に、例えば、架橋ポリエチレン管やポリブデン管のような酸素透過型の樹脂パイプを使用して、温水床暖房パネルの管路にエアーが透過して侵入してエアー溜まりが生じたとしても、戻り管路は制御弁によって閉じられていて、戻り管路内のエアー溜まりに起因し、かつ、水頭圧によっても熱媒が熱媒供給部へと流入することを阻止するのであり、したがって、従来のように、熱媒が熱媒供給部へと流入することに起因して開放型の熱媒タンクにおいてオーバーフローが生じて熱媒不足が生じ、これを補うような運転を回避するのであり、熱媒の無駄をなくし、イニシャルコストを低減する。
【００１３】
請求項３の発明においては、前記送り管路及び戻り管路を近接させ、両管路に一体又は別となった弁体を配設し、弁体を制御信号にて開閉させる一の駆動部を備えて前記両制御弁を一体型にしていることを特徴とするものである。
【００１４】
このような構成によれば、制御信号に基づいて一の駆動部を駆動させることで、近接させた送り管路と戻り管路の弁体を開閉させることができ、制御弁の数を半減でき、構成を簡素化し、かつ、制御系を簡素化する。
【００１５】
請求項４の発明のように、前記暖房端末は前記熱媒供給部よりも上方の階上に複数設置されていることも好ましい。
【００１６】
【発明の実施の形態】
以下、本発明の実施の一形態を説明する。図１は概略系統図である。図２は部分斜視図である。
【００１７】
本発明の暖房装置Ａは、例えば、温水循環式のセントラルヒーティング装置に実施されるものであり、暖房端末１としての温水床暖房パネル１０を熱媒供給部２に熱媒の送り管路３及び戻り管路４によって接続している。温水床暖房パネル１０は、例えば、１階或いは２階に設けている。各階に配したリモコンのような操作部１６の操作によって、開放型とした熱媒タンク８よりの送り経路１２に設けた循環ポンプ１３を作動させて熱媒（以下、温水という）を熱交換器１４に送り、バーナー１５を点火させて加熱をし、送り側のサーミスタ１７にて温度が検知され、所定温度となった温水を送り管路３に設けたヘッダー１８を経由して温水床暖房パネル１０に給湯し、温水床暖房パネル１０において床暖房をおこない、戻り管路４よりヘッダー１９を経由し、戻り経路２０より熱媒タンク８へと戻すようにしている。
【００１８】
前記熱媒供給部２の送り経路１２に接続されたヘッダー１８には各階の温水床暖房パネル１０，１０に対する送り管路３，３を接続し、各階の温水床暖房パネル１０，１０よりの戻り管路４，４が戻り側のヘッダー１９に接続され、ヘッダー１９が熱媒供給部２の戻り経路２０に接続されている。
【００１９】
温水床暖房パネル１０に敷設する管路として、例えば、架橋ポリエチレン管やポリブデン管のような酸素透過型の樹脂パイプ７を使用している。各温水床暖房パネル１０，１０は熱媒供給部２よりも上方に配設されている。開放型となってオーバーフローが可能な熱媒タンク８には高位と低位を検知する水位センサー２１，２２を設けて水位を中間に自動制御するシスターン装置を備えている。符号２４は風呂である。
ここで、本発明においては、温水床暖房パネル１０に対する送り管路３に管路を開閉する制御弁５を設けると共に温水床暖房パネル１０からの戻り管路４にも管路を開閉する制御弁６を設けている。
前記制御弁５，６はそれぞれ制御弁用信号線接続部２８に接続され、前記操作部１６はリモコン用信号線接続部２７に接続され、操作部１６からの操作信号がリモコン用信号線接続部２７をへて制御弁用信号線接続部２８に入力され制御信号にて制御弁５，６の開閉をおこなうようにしている。
このような構成によれば、温水床暖房パネル１０を長く使用しない場合に、前記制御信号によって制御される制御弁６によって戻り管路４を閉にしておくことで、温水床暖房パネル１０から熱媒供給部２への温水の戻りを阻止することができるのであり、戻り管路４にエアーが侵入してエアー溜まりが生じても温水が熱媒供給部２に戻ることに起因してエアー溜まりが増大するのを防止することができるのである。
【００２０】
更に、温水床暖房パネル１０の管路に、架橋ポリエチレン管やポリブデン管のような酸素透過型の樹脂パイプ７を使用していて、温水床暖房パネル１０の管路にエアーが透過して侵入してエアー溜まりが生じたとしても、戻り管路４は制御弁６によって閉じられているから、戻り管路４内のエアー溜まりに起因し、かつ、水頭圧によっても温水が熱媒供給部２へと流入することを阻止することができるのである。したがって、従来のように、温水が熱媒供給部２へと流入することに起因して開放型の熱媒タンク８においてオーバーフローが生じて熱媒の不足が生じ、これを補うような運転を回避することができ、熱媒の無駄をなくし、イニシャルコストを低減できるものである。
【００２１】
図３及び図４は他の実施の形態を示し、但し、本実施の形態の基本構成は上記実施の形態と共通であり、共通する部分には同一の符号を付して説明は省略する。
【００２２】
図４（ａ）の実施の形態においては、送り管路３と戻り管路４を近接させ、両管路３，４に各弁体９ａ、９ｂを配設し、弁体９ａ，９ｂを制御信号にて開閉させる一の駆動部１１を備えて前記制御弁５，６を一体型とした弁機構２３に構成したものである。このような弁機構２３は、例えば、駆動部１１として、サーモワックスエレメント等を備え、通電に伴う加熱によるサーモワックスエレメントの膨張力によってピストン２５を作動させて弁体９ａ，９ｂを閉作動させ、通電停止後は、コイルスプリング２６の弾性復帰力によって開作動させる形態の熱動弁であっても、又、通常の電磁弁であってもよい。
本実施の形態においては、制御信号に基づいて一の駆動部１１を駆動させることで、近接させた送り管路３と戻り管路４の弁体９ａ，９ｂを開閉させることができ、制御弁５，６の数を半減でき、構成を簡素化できるものである。図４（ｂ）は更に他の実施の形態を示し、前記弁体９ａ，９ｂを一体化させたものであり、前記弁機構２３の構成を簡素化し、かつ、制御系も簡素化することができる。
【００２３】
【発明の効果】
請求項１の発明においては、温水床暖房パネルのような暖房端末を熱媒供給部に熱媒の送り管路及び戻り管路によって接続した暖房装置であって、前記送り管路に管路を開閉する制御弁を設けると共に戻り管路にも管路を開閉する制御弁を設けているから、送り管路及び戻り管路に設けた制御弁によって両管路を開閉することができ、熱媒供給部から熱媒を暖房端末に供給及び停止を確実におこなうことができながら、暖房端末を長く使用しない場合に、制御弁によって戻り管路を閉にして暖房端末から熱媒供給部への熱媒の戻りを阻止することができ、戻り管路にエアーが侵入してエアー溜まりが生じても熱媒が熱媒供給部に戻ることに起因してエアー溜まりが増大するのを防止することができるという利点がある。
【００２４】
請求項２の発明においては、請求項１の効果に加えて、前記暖房端末、送り管路及び戻り管路の少なくとも一部に酸素透過型の樹脂パイプを使用し、前記暖房端末は前記熱媒供給部よりも上方に配設し、前記熱媒供給部は開放型の熱媒タンクを備えているから、暖房端末としての温水床暖房パネルの管路に、例えば、架橋ポリエチレン管やポリブデン管のような酸素透過型の樹脂パイプを使用していて、温水床暖房パネルの管路にエアーが透過して侵入してエアー溜まりが生じたとしても、戻り管路は制御弁によって閉じられていることから、戻り管路内のエアー溜まりに起因し、かつ、水頭圧によっても熱媒が熱媒供給部へと流入することを阻止することができ、したがって、従来のように、熱媒が熱媒供給部へと流入することに起因して開放型の熱媒タンクにおいてオーバーフローが生じて熱媒の不足が生じ、これを補うような運転を回避することができ、熱媒の無駄をなくし、イニシャルコストを低減できるという利点がある。
【００２５】
請求項３の発明においては、請求項１の効果に加えて、前記送り管路及び戻り管路を近接させ、両管路に一体又は別となった弁体を配設し、弁体を制御信号にて開閉させる一の駆動部を備えて前記両制御弁を一体型にしているから、制御信号に基づいて一の駆動部を駆動させることで、近接させた送り管路と戻り管路の弁体を開閉させることができ、制御弁の数を半減でき、構成を簡素化できるという利点がある。
【図面の簡単な説明】
【図１】本発明の実施の一形態の概略系統図である。
【図２】同上の部分斜視図である。
【図３】同上の他の実施の形態の部分斜視図である。
【図４】（ａ）は同上の弁機構の概略説明図、（ｂ）は他例の概略説明図である。
【図５】従来例の系統図である。
【符号の説明】
１    暖房端末
２    熱媒供給部
３    送り管路
４    戻り管路
５    制御弁
６    制御弁
７    樹脂パイプ
８    熱媒タンク
９ａ  弁体
９ｂ  弁体
１０  温水床暖房パネル
１１  駆動部
【図１】
2004286366.tif 000003
【図２】
2004286366.tif 000004
【図３】
2004286366.tif 000005
【図４】
2004286366.tif 000006
【図５】
2004286366.tif 000007